(57)【要約】【課題】本発明は、データが前記基地局１０と無線ネットワーク制御装置２０の間で伝送される、無線通信ネットワークの基地局１０の操作方法に関する。【解決手段】本発明の方法は、前記基地局１０が、基地局１０によって現在サポートされている基本データ転送容量に関する容量情報を含む第１の容量割り当てメッセージＣＡＭ＿１を無線ネットワーク制御装置２０に自動的に発行することを特徴とする。本発明はさらに、無線通信ネットワークの基地局１０および無線ネットワーク制御装置２０にも関する。【選択図】      図１
2006180484.tif 000002
【特許請求の範囲】
【請求項１】
データが基地局（１０）と無線ネットワーク制御装置（２０）の間で伝送される、無線通信ネットワークの基地局（１０）の操作方法であって、前記基地局（１０）が、基地局（１０）によって現在サポートされている基本データ転送容量に関する容量情報を含む第１の容量割り当てメッセージ（ＣＡＭ＿１）を無線ネットワーク制御装置（２０）に自動的に発行することを特徴とする方法。
【請求項２】
データ伝送が、高速ダウンリンクパケットアクセス（ＨＳＤＰＡ）モードに従って実行される請求項１に記載の方法。
【請求項３】
前記基地局（１０）が、無線ネットワーク制御装置（２０）から容量要求メッセージを受信する前に、前記第１の容量割り当てメッセージ（ＣＡＭ＿１）を無線ネットワーク制御装置（２０）に発行することを特徴とする請求項１または２に記載の方法。
【請求項４】
好ましくは無線ネットワーク制御装置（２０）とのデータ伝送中に、基地局（１０）によって１つまたは複数のさらなる容量割り当てメッセージ（ＣＡＭ＿２、ＣＡＭ＿３、・・・・）が発行されることを特徴とする請求項１から３の一項に記載の方法。
【請求項５】
前記さらなる容量割り当てメッセージ（ＣＡＭ＿２、ＣＡＭ＿３、・・・・）に含まれた前記容量情報が、前記無線ネットワーク制御装置（２０）の容量要求および／または基地局（１０）によって現在サポートされているデータ転送容量に応じて基地局（１０）によって変更されることを特徴とする請求項４に記載の方法。
【請求項６】
無線ネットワーク制御装置（２０）が基地局（１０）に空のユーザバッファを示した場合、前記基地局（１０）が、さらなる容量割り当てメッセージ（ＣＡＭ＿２、ＣＡＭ＿３、・・・・）を無線ネットワーク制御装置（２０）に発行することを特徴とする請求項４から５の一項に記載の方法。
【請求項７】
データが基地局（１０）と無線ネットワーク制御装置（２０）の間で伝送される、無線通信ネットワークの基地局（１０）であって、前記基地局（１０）が、基地局（１０）によって現在サポートされている基本データ転送容量に関する情報を含む第１の容量割り当てメッセージ（ＣＡＭ＿１）を無線ネットワーク制御装置（２０）に自動的に発行するように構成されることを特徴とする基地局（１０）。
【請求項８】
請求項１から６の一項に記載の方法を実施することができることを特徴とする請求項７に記載の基地局（１０）。
【請求項９】
データが無線ネットワーク制御装置（２０）と基地局（１０）の間で伝送される、無線通信ネットワークの無線ネットワーク制御装置（２０）であって、前記無線ネットワーク制御装置（２０）が、容量要求メッセージを前記基地局（１０）に発行する前に、前記基地局（１０）による第１の容量割り当てメッセージ（ＣＡＭ＿１）を受信するように構成されることを特徴とする無線ネットワーク制御装置（２０）。
【請求項１０】
データを受信したときに、具体的には前記無線ネットワーク制御装置（２０）によって前記基地局（１０）に転送すべきパケットデータを受信したときに、前記基地局（１０）へのデータ伝送を迅速に開始するように構成されることを特徴とする請求項９に記載の無線ネットワーク制御装置（２０）。
【請求項１１】
前記第１の容量割り当てメッセージ（ＣＡＭ＿１）により前記データ伝送を実行するように構成される請求項１０に記載の無線ネットワーク制御装置（２０）。
【発明の詳細な説明】
【技術分野】
【０００１】
本発明は、データが基地局と無線ネットワーク制御装置の間で伝送される、無線通信ネットワークの基地局の操作方法に関する。
【０００２】
本発明は、さらに、データが基地局と無線ネットワーク制御装置の間で伝送される、無線通信ネットワークの基地局に関する。本発明は、無線通信ネットワークの無線ネットワーク制御装置にも関する。
【背景技術】
【０００３】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）など現代の無線通信ネットワークは、とりわけ伝達制御プロトコル（ＴＣＰ）を使用してパケットデータ伝送を提供する。ＴＣＰのスロースタート機構は、たとえば文書「ＴＣＰ  Ｓｌｏｗ  Ｓｔａｒｔ、Ｃｏｎｇｅｓｔｉｏｎ  Ａｖｏｉｄａｎｃｅ、Ｆａｓｔ  Ｒｅｔｒａｎｓｍｉｔ、ａｎｄ  Ｆａｓｔ  Ｒｅｃｏｖｅｒｙ  Ａｌｇｏｒｉｔｈｍｓ」、ＩＥＴＦ  ＲＦＣ  ２００１（Ｉｎｔｅｒｎｅｔ  Ｅｎｇｉｎｅｅｒｉｎｇ  Ｔａｓｋ  Ｆｏｒｃｅ、Ｒｅｑｕｅｓｔ  ｆｏｒ  Ｃｏｍｍｅｎｔｓ、ｃｆ．ｈｔｔｐ：／／ｗｗｗ．ｉｅｔｆ．ｏｒｇ）、および「ＴＣＰ  Ｃｏｎｇｅｓｔｉｏｎ  Ｃｏｎｔｒｏｌ」、ＩＥＴＦ  ＲＦＣ  ２５８１に記述されているが、通信ネットワークをゆっくりと検査して使用可能な伝送容量を決定するために提供されたものである。
【０００４】
前記スロースタートは基本的に、ソースネットワーク要素で単一データパケットを発行することによって、また宛先ネットワーク要素によって発行された対応する応答メッセージの受信後にそれぞれ往復遅延を評価することによって行われる。特に無線通信ネットワークでは、少なくとも大部分の宛先ネットワーク要素が通常は移動端末であり、往復遅延が比較的高い値になることがある。これは、スロースタート機構、またはスロースタートからＴＣＰの通常の操作可能な状態への移行を損なうために非常に望ましくないことである。
【０００５】
上述の往復遅延も、たとえばＩｕｂインターフェースを介したＵＭＴＳ通信ネットワークの無線ネットワーク制御装置（ＲＮＣ）と基地局（Ｎｏｄｅ  Ｂ）の間のデータ伝送に使用されるフレームプロトコルによって影響を受け、すなわち、さらに増加される。
【非特許文献１】「ＴＣＰ  Ｓｌｏｗ  Ｓｔａｒｔ、Ｃｏｎｇｅｓｔｉｏｎ  Ａｖｏｉｄａｎｃｅ、Ｆａｓｔ  Ｒｅｔｒａｎｓｍｉｔ、ａｎｄ  Ｆａｓｔ  Ｒｅｃｏｖｅｒｙ  Ａｌｇｏｒｉｔｈｍｓ」、ＩＥＴＦ  ＲＦＣ  ２００１（Ｉｎｔｅｒｎｅｔ  Ｅｎｇｉｎｅｅｒｉｎｇ  Ｔａｓｋ  Ｆｏｒｃｅ、Ｒｅｑｕｅｓｔ  ｆｏｒ  Ｃｏｍｍｅｎｔｓ、ｃｆ．ｈｔｔｐ：／／ｗｗｗ．ｉｅｔｆ．ｏｒｇ）
【非特許文献２】「ＴＣＰ  Ｃｏｎｇｅｓｔｉｏｎ  Ｃｏｎｔｒｏｌ」、ＩＥＴＦ  ＲＦＣ  ２５８１
【非特許文献３】３ＧＰＰ  ＴＳ  ２５．４３５、「ＵＴＲＡＮ  Ｉｕｂ  Ｉｎｔｅｒｆａｃｅ  Ｕｓｅｒ  Ｐｌａｎｅ  Ｐｒｏｔｏｃｏｌｓ  ｆｏｒ  Ｃｏｍｍｏｎ  Ｔｒａｎｓｐｏｒｔ  Ｃｈａｎｎｅｌ  ｄａｔａ  ｓｔｒｅａｍｓ」
【発明の開示】
【発明が解決しようとする課題】
【０００６】
したがって、本発明の目的は、基地局の操作方法の改善、および改良型基地局、並びに改良型無線ネットワーク制御装置を提供し、それによって往復遅延を低減し、特にＴＣＰスロースタート機構を迅速化することができるようにすることである。
【課題を解決するための手段】
【０００７】
本発明によれば、この目的は、上述のタイプの無線通信ネットワークの基地局の操作方法により、前記基地局が、基地局によって現在サポートされている基本データ転送容量に関する容量情報を含む第１の容量割り当てメッセージを無線ネットワーク制御装置に自動的に発行することによって達成される。
【０００８】
この第１の容量割り当てメッセージによって、無線ネットワーク制御装置がデータを迅速に転送することができるようになる。このデータは、たとえばコアネットワークまたはソースネットワーク要素からそれぞれ基地局に受信されるＴＣＰパケットデータによって構成される。前記第１の容量割り当てメッセージは基地局によって現在サポートされている基本データ転送容量に関する容量情報を含むため、無線ネットワーク制御装置は、前記基地局に転送すべきＴＣＰパケットデータの受信後に、たとえば基地局とさらなる制御メッセージを交換することによって基地局のデータ転送容量を事前に決定する必要がない。
【０００９】
ＴＣＰスロースタート機構に関するデータ伝送では、それによって往復遅延が低減され、従ってＴＣＰスロースタートから通常のＴＣＰ動作への移行が速められることになる。
【００１０】
本発明の非常に有利な実装形態によれば、特に無線ネットワーク制御装置と基地局の間のデータ伝送は、高速ダウンリンクパケットアクセス（ＨＳＤＰＡ）モードに従って行われる。
【００１１】
前記ＨＳＤＰＡモードでは、ＴＣＰパケットが無線ネットワーク制御装置（ＲＮＣ）からＵＭＴＳ通信ネットワークの基地局（Ｎｏｄｅ  Ｂ）にＩｕｂインターフェースを介してＭＡＣ−ｄプロトコルデータユニット（ＰＤＵ）によって伝送される。さらに、無線ネットワーク制御装置と基地局の間の通信を制御するフレームプロトコルが使用され、前記ＭＡＣ−ｄ  ＰＤＵがＨＳ−ＤＳＣＨ（Ｈｉｇｈ  Ｓｐｅｅｄ  Ｄｏｗｎｌｉｎｋ  Ｓｈａｒｅｄ  Ｃｈａｎｎｅｌ）データフレームで転送される。
【００１２】
フレームプロトコルは、３ＧＰＰ  ＴＳ  ２５．４３５、「ＵＴＲＡＮ  Ｉｕｂ  Ｉｎｔｅｒｆａｃｅ  Ｕｓｅｒ  Ｐｌａｎｅ  Ｐｒｏｔｏｃｏｌｓ  ｆｏｒ  Ｃｏｍｍｏｎ  Ｔｒａｎｓｐｏｒｔ  Ｃｈａｎｎｅｌ  ｄａｔａ  ｓｔｒｅａｍｓ」に記載されている。
【００１３】
従来技術から知られているＨＳＤＰＡ操作によれば、前記基地局に転送すべきＴＣＰパケットを受信したときに、無線ネットワーク制御装置は先ず基地局に伝送すべきデータ量を示すＨＳ−ＤＳＣＨ  Ｃａｐａｃｉｔｙ  Ｒｅｑｕｅｓｔ制御メッセージを発行する。前記データ量は、たとえば無線ネットワーク制御装置内のユーザバッファのサイズから導出することができる。
【００１４】
基地局は、無線ネットワーク制御装置から従来技術のＨＳ−ＤＳＣＨ  Ｃａｐａｃｉｔｙ  Ｒｅｑｕｅｓｔ制御メッセージを受信すると、前記ＨＳ−ＤＳＣＨ  Ｃａｐａｃｉｔｙ  Ｒｅｑｕｅｓｔ制御メッセージに、データ量、すなわちＭＡＣ−ｄ  ＰＤＵの数およびサイズを定義するＨＳ−ＤＳＣＨ  Ｃａｐａｃｉｔｙ  Ａｌｌｏｃａｔｉｏｎ制御メッセージで応答し、無線ネットワーク制御装置は規定時間内に送信することが許可される。
【００１５】
したがって、従来技術によれば、前記ＨＳ−ＤＳＣＨ  Ｃａｐａｃｉｔｙ  Ｒｅｑｕｅｓｔ制御メッセージと前記ＨＳ−ＤＳＣＨ  Ｃａｐａｃｉｔｙ  Ａｌｌｏｃａｔｉｏｎ制御メッセージの交換を含む認可手順が実行され、それによって無線ネットワーク制御装置から基地局への前記データ伝送に関するＴＣＰパケットの往復遅延が増加する。
【００１６】
本発明によれば、基地局は第１の容量割り当てメッセージを自動的に発行し、それによって無線ネットワーク制御装置が基地局へのデータ伝送を迅速に開始して、従来技術のＨＳ−ＤＳＣＨ  Ｃａｐａｃｉｔｙ  Ｒｅｑｕｅｓｔ制御メッセージを回避し、したがって往復遅延を低減することができる。
【００１７】
したがって、前記ＨＳ−ＤＳＣＨ  Ｃａｐａｃｉｔｙ  Ｒｅｑｕｅｓｔ制御メッセージを生成し、転送し、評価する時間が、本発明によって有利に節約される。
【００１８】
本発明の方法のさらなる利点として、本発明の方法により第１の容量割り当てメッセージの形で提供されるＨＳ−ＤＳＣＨ  Ｃａｐａｃｉｔｙ  Ａｌｌｏｃａｔｉｏｎ制御メッセージの生成は、往復遅延にも悪影響を与えない。なぜなら、第１の容量割り当てメッセージは、たとえばＴＣＰスロースタートに関して、ＴＣＰパケットデータのいずれかが無線ネットワーク制御装置に到達する前に有利に生成され、転送され、かつ評価されるからである。
【００１９】
本発明のコンテキストでは、用語「自動的に」は、基地局が、たとえば無線ネットワーク制御装置からの上述のＨＳ−ＤＳＣＨ  Ｃａｐａｃｉｔｙ  Ｒｅｑｕｅｓｔ制御メッセージなど任意の到来Ｃａｐａｃｉｔｙ  Ｒｅｑｕｅｓｔメッセージを待たずに、本発明の第１の容量割り当てメッセージを発行することを指す。本発明の第１の容量割り当てメッセージは、好ましくは、ユーザ接続、すなわちＴＣＰ接続のセットアップまたは再構成、かつ／またはＩｕｂインターフェースを介したＴＣＰパケット伝送の終わりに発行され、それがたとえば無線ネットワーク制御装置内の空のユーザバッファを示すＨＳ−ＤＳＣＨデータフレームの受信時に前記基地局によって検出される。
【００２０】
基地局が、前記本発明の第１の容量割り当てメッセージを、無線ネットワーク制御装置またはさらなるネットワーク要素との通信状態に関係なく、任意の時点で発行することも可能である。
【００２１】
基地局は、前記本発明の第１の容量割り当てメッセージを定期的に発行して、無線ネットワーク制御装置に基地局の現在の伝送容量の適値が与えられるようにすることもできる。この場合、２つの本発明の容量割り当てメッセージの間の期間が、Ｉｕｂインターフェースを介したＴＣＰパケット伝送の期間よりも長くなるように選択されることが好ましい。
【００２２】
本発明の方法の非常に有利な一実装形態によれば、基地局は、無線ネットワーク制御装置から容量要求メッセージを受信する前に、前記第１の容量割り当てメッセージを無線ネットワーク制御装置に発行する。
【００２３】
本発明の方法の他の有利な実装形態では、好ましくは無線ネットワーク制御装置とのデータ伝送中に、基地局によって１つまたは複数のさらなる容量割り当てメッセージが発行される。前記さらなる容量割り当てメッセージにより、伝送パラメータを適合させることができるようになり、無線ネットワーク制御装置と基地局の間のデータ伝送の柔軟性が増す。本発明では、前記さらなる容量割り当てメッセージを自動的に発行することもできる。
【００２４】
本発明による方法の他の有利な実装形態は、前記さらなる容量割り当てメッセージに含まれた前記容量情報が、前記無線ネットワーク制御装置の容量要求および／または基地局によって現在サポートされているデータ転送容量に応じて基地局によって変更されることを特徴とする。
【００２５】
本発明のさらなる有利な一実装形態によれば、無線ネットワーク制御装置が基地局に空のユーザバッファを示した場合、前記基地局はさらなる容量割り当てメッセージを無線ネットワーク制御装置に発行する。
【００２６】
無線ネットワーク制御装置から基地局への空のユーザバッファの表示は、たとえばＭＡＣ−ｄ  ＰＤＵのトランスポートに使用されるＨＳ−ＤＳＣＨデータフレームに含むことができる。あるいは、前記空のユーザバッファの表示は、Ｃａｐａｃｉｔｙ  Ｒｅｑｕｅｓｔメッセージなど特別制御メッセージによって実施することもできる。
【００２７】
本発明の目的のさらなる解決法は、データが前記基地局と無線ネットワーク制御装置の間で伝送される、請求項７に記載の無線通信ネットワークの基地局によって与えられる。前記基地局は、第１の容量割り当てメッセージを無線ネットワーク制御装置に自動的に発行するように構成され、前記第１の容量割り当てメッセージは基地局によって現在サポートされている基本データ転送容量に関する情報を含むことを特徴とする。
【００２８】
有利には、本発明の基地局は、請求項１から６の一項に記載の本発明の方法を実施することができる。
【００２９】
本発明の目的の他の解決法は、データが前記無線ネットワーク制御装置と基地局の間で伝送される、無線通信ネットワークの無線ネットワーク制御装置によって与えられる。本発明の無線ネットワーク制御装置は、容量要求メッセージを前記基地局に発行する前に、前記基地局による第１の容量割り当てメッセージを受信するように構成される。
【００３０】
本発明の無線ネットワーク制御装置のさらなる有利な一実装形態は、データを受信したときに、具体的には前記無線ネットワーク制御装置によって前記基地局に転送すべきパケットデータを受信したときに、前記基地局へのデータ伝送を迅速に開始するように構成されることを特徴とする。
【００３１】
本発明の他の有利な実施形態は、前記無線ネットワーク制御装置が、前記第１の容量割り当てメッセージによって前記データ伝送を実行するように構成されることを特徴とする。
【００３２】
本発明のさらなる適用例、特徴、および利点は、図面を参照して、以下の詳細な説明に記載される。
【発明を実施するための最良の形態】
【００３３】
ＵＭＴＳ無線通信ネットワークの基地局１０および無線ネットワーク制御装置２０が図１に垂直線で記号化されており、Ｔｒａｎｓｍｉｓｓｉｏｎ  Ｃｏｎｔｒｏｌ  Ｐｒｏｔｏｃｏｌ（ＴＣＰ）によるパケットデータ伝送を表している。
【００３４】
無線ネットワーク制御装置２０と基地局１０の間のデータ伝送は、高速ダウンリンクパケットアクセスモード（ＨＳＤＰＡ）に従って行われ、ＴＣＰパケットデータが、ＨＳ−ＤＳＣＨデータフレームＤＦ＿１、ＤＦ＿２、・・・に含まれたＭＡＣ−ｄプロトコルデータユニット（ＰＤＵ）によって、前記無線ネットワーク制御装置２０から前記基地局１０にトランスポートされる。
【００３５】
図１から分かるように、基地局１０は、第１の容量割り当てメッセージＣＡＭ＿１を無線ネットワーク制御装置２０に自動的に発行する。このコンテキストでは、「自動的に」は、基地局１０が、任意の到来制御メッセージまたはイベントなどを待たずに、本発明の容量割り当てメッセージＣＡＭをトリガすることを指す。基地局１０は、無線ネットワーク制御装置２０またはさらなるネットワーク要素との通信状態に関係なく、本発明の第１の容量割り当てメッセージＣＡＭ＿１を任意の時点で発行することができる。たとえば、基地局は前記本発明の第１の容量割り当てメッセージＣＡＭ＿１を定期的に発行することもできる。
【００３６】
したがって、本発明の無線ネットワーク制御装置２０は、基地局１０によって現在サポートされている基本転送容量に関する容量情報を含む第１の容量割り当てメッセージＣＡＭ＿１を受信する。ゆえに無線ネットワーク制御装置２０には、基地局１０の現在の転送容量が自動的に通知される。容量情報は、たとえばデータ量、すなわちＭＡＣ−ｄ  ＰＤＵの数およびサイズの形で与えられ、無線ネットワーク制御装置２０は、規定期間内に基地局１０に送信することが許可される。
【００３７】
この情報で、無線ネットワーク制御装置２０は、従来技術のシステムで要求されるように事前にＨＳ−ＤＳＣＨ  Ｃａｐａｃｉｔｙ  Ｒｅｑｕｅｓｔ制御メッセージを発行することが不要になり、前記基地局１０へのデータ伝送を迅速に開始することができる。なぜなら、本発明の無線ネットワーク制御装置２０には、本発明の第１の容量割り当てメッセージＣＡＭ＿１によって基地局の現在の伝送容量がすでに（自動的に）通知されているからである。
【００３８】
対応する状況が図１に示されている。矢印ＴＣＰ＿１は、無線ネットワーク制御装置２０によって基地局１０に転送すべき到来ＴＣＰパケットデータを記号で表すものである。
【００３９】
無線ネットワーク制御装置２０は、前記ＴＣＰパケットデータＴＣＰ＿１を受信すると、第１の容量割り当てメッセージＣＡＭ＿１によって事前に受信された容量情報に応じて、第１のＨＳ−ＤＳＣＨデータフレームＤＦ＿１を基地局１０に迅速に転送する。
【００４０】
その後、基地局１０は、前記基地局１０によって現在サポートされている転送容量に関する容量情報を含む第２の容量割り当てメッセージＣＡＭ＿２を発行することによって応答する。
【００４１】
第２の容量割り当てメッセージＣＡＭ＿２の容量情報は、第１の容量割り当てメッセージＣＡＭ＿１によって無線ネットワーク制御装置２０に転送された容量情報とは異なるものでもよく、たとえば基地局１０によって、たとえば基地局１０の現在のロード状況および／または前記無線ネットワーク制御装置２０などからの容量要求に応じて変更することができる。
【００４２】
無線ネットワーク制御装置２０は、基地局１０から第２の容量割り当てメッセージＣＡＭ＿２を受信した後、さらなるデータフレームＤＦ＿２、・・・、ＤＦ＿Ｎを基地局１０に伝送し、基地局１０は、ＴＣＰパケットデータＴＣＰ＿１が全て基地局１０に伝送されるまで、対応する容量割り当てメッセージＣＡＭ＿３、・・・、ＣＡＭ＿Ｎ＋１で応答する。
【００４３】
前記基地局１０によって自動的に発行される本発明の第１の容量割り当てメッセージＣＡＭ＿１の使用によって、ＴＣＰパケットデータの往復遅延を低減することができる。なぜなら、本発明の方法で、従来技術のＨＳ−ＤＳＣＨ  Ｃａｐａｃｉｔｙ  Ｒｅｑｕｅｓｔ制御メッセージを回避することができるようになるからである。前記往復遅延の低減は、ＴＣＰスロースタート手順の迅速化に特に有用である。
【００４４】
したがって、前記ＨＳ−ＤＳＣＨ  Ｃａｐａｃｉｔｙ  Ｒｅｑｕｅｓｔ制御メッセージを生成し、転送し、評価する時間が本発明によって有利に節約される。
【００４５】
さらに、本発明の第１の容量割り当てメッセージＣＡＭ＿１の生成は、ＨＳ−ＤＳＣＨ  Ｃａｐａｃｉｔｙ  Ｒｅｑｕｅｓｔ制御メッセージの受信時だけに発行される通常の従来技術のＨＳ−ＤＳＣＨ  Ｃａｐａｃｉｔｙ  Ａｌｌｏｃａｔｉｏｎ制御メッセージの代わりに使用されるものであり、スロースタートＴＣＰパケットデータまたは他のＴＣＰパケットデータのどちらの往復遅延にも悪影響を与えない。なぜなら、本発明の第１の容量割り当てメッセージＣＡＭ＿１は、ＴＣＰスロースタートのコンテキストで、ＴＣＰパケットデータＴＣＰ＿１（図１）が無線ネットワーク制御装置２０に到達する前に有利に生成され、転送され、評価されるからである。
【００４６】
さらなる容量割り当てメッセージＣＡＭ＿２、ＣＡＭ＿３、・・・・をたとえばデータフレームＤＦ＿１、ＤＦ＿２、・・・・に応答して基地局１０によって発行することができるが、それらを定期的に、または（擬似）無作為に、あるいは単に基地局１０の転送容量に関して重大な変更が生じた場合に常に発行することもできる。すなわち、本発明では、前記さらなる容量割り当てメッセージＣＡＭ＿２、ＣＡＭ＿３、・・・・を自動的に発行することもできる。
【００４７】
通常、本発明の方法は、新しい接続のセットアップ時、並びに現在のＴＣＰセッションの割り込み時に適用することができる。たとえば、ウェブページのコンテンツを転送した後に、無線ネットワーク制御装置２０で維持されるユーザバッファのサイズがゼロになる可能性があり、従って現在のＴＣＰセッションの割り込みを示すことができる。基地局１０は、新しいＴＣＰパケットデータ、従って無線ネットワーク制御装置２０からのＨＳ−ＤＳＨＣ  Ｃａｐａｃｉｔｙ  Ｒｅｑｕｅｓｔ制御メッセージを待つ代わりに、次のウェブページなどの伝送に使用することができる基地局１０によって現在サポートされている基本伝送容量を無線ネットワーク制御装置２０に通知する「新しい」第１の容量割り当てメッセージを、やはり自動的に発行することができる。
【００４８】
したがって、たとえば前記次のウェブページの第１のデータフレームの受信後に、さらなる容量割り当てメッセージを基地局１０によって上記の方法で発行することができる。
【００４９】
無線ネットワーク制御装置２０が基地局１０に空のユーザバッファを示した場合、前記基地局１０が、さらなる容量割り当てメッセージＣＡＭ＿２、ＣＡＭ＿３、・・・・を無線ネットワーク制御装置２０に発行することもできる。無線ネットワーク制御装置２０から基地局１０への空のユーザバッファの表示は、たとえばＭＡＣ−ｄ  ＰＤＵのトランスポートに使用されるＨＳ−ＤＳＣＨデータフレームに含むことができる。あるいは、空のユーザバッファの前記表示は、Ｃａｐａｃｉｔｙ  Ｒｅｑｕｅｓｔメッセージなど特別制御メッセージによって実施することもできる。
【図面の簡単な説明】
【００５０】
【図１】本発明の第１の実装形態の信号の流れを示す図である。
【符号の説明】
【００５１】
１０  基地局
２０  無線ネットワーク制御装置
ＣＡＭ＿１、ＣＡＭ＿２、・・・ＣＡＭ＿Ｎ  容量割り当てメッセージ
ＤＦ＿１、ＤＦ＿２、・・・ＤＦ＿Ｎ  データフレーム
ＴＣＰ＿１  ＴＣＰパケットデータ
【図１】
2006180484.tif 000003
【外国語明細書】
2006180484.tif 000004
2006180484.tif 000005
2006180484.tif 000006
2006180484.tif 000007
2006180484.tif 000008
2006180484.tif 000009
2006180484.tif 000010
2006180484.tif 000011
2006180484.tif 000012
2006180484.tif 000013
2006180484.tif 000014
2006180484.tif 000015
2006180484.tif 000016
2006180484.tif 000017
2006180484.tif 000018
2006180484.tif 000019
2006180484.tif 000020
2006180484.tif 000021
2006180484.tif 000022
2006180484.tif 000023
2006180484.tif 000024